(57)【要約】      （修正有）【課題】ＩＣタグが紛失・破損することなく、品質管理・流通管理を容易とする外壁用建材を提供する。【解決手段】壁面に着脱可能に複数個配列する外壁用建材１であり、各外壁用建材１に関係する情報を記録又は表示する情報伝達媒体２が外壁用建材１に固定されることにより、外壁用建材１の品質管理・流通管理を容易に行う。【選択図】図１
2011219997.tif 000002
【特許請求の範囲】
【請求項１】
壁面に着脱可能に複数個配列する外壁用建材であり、
各外壁用建材に関係する情報を記録又は表示する情報伝達媒体が固定された外壁用建材。
【請求項２】
前記情報伝達媒体がＩＣタグ、１次元コード、２次元コードである請求項１に記載する外壁用建材。
【請求項３】
前記ＩＣタグが前記外壁用建材に埋め込まれた請求項２に記載する外壁用建材。
【請求項４】
壁面に固定された係止用板に着脱可能に係着する外壁用建材であり、
前記ＩＣタグが耐水性を有し、前記外壁用建材に着脱可能に内設された請求項２に記載の外壁用建材。
【請求項５】
前記ＩＣタグがＧＰＳモジュールを内蔵した請求項４に記載の外壁用建材。
【請求項６】
請求項１に記載の外壁用建材とリース管理サーバとを使用したリースシステムであり、
建築物所有者端末、建築物管理者端末、外壁用建材をリースするリース会社の所有するリース会社端末、外壁用建材を販売する販売会社の所有する販売会社端末、外壁用タイルを生産する生産業者の所有する生産業者端末にインターネットを介して接続されたリース管理サーバと、
前記リース管理サーバからアクセスされるデータベースを有する記憶手段と、
前記各外壁用建材に関する情報をデータベースに登録するリース管理サーバ内の登録手段と、
前記外壁用建材の情報をインターネット上に公開するリース管理サーバ内の公開手段と、
利用者にデータベースに登録されたデータを送信するリース管理サーバ内のリースデータ通知手段と、
前記外壁用建材の情報伝達媒体から各外壁用建材に関係する情報を読み取る読取手段と、
を備えた外壁用建材のリースシステム。
【発明の詳細な説明】
【技術分野】
【０００１】
この発明は、建物に取り付けられる外壁用建材に関するものである。
【背景技術】
【０００２】
一般に外壁用建材は年月の経過と共にその品質や性能が低下するため、建物の所有者・管理人は定期的に検査を受けたり、メンテナンスを行う必要がある。
【０００３】
例えば、建物の外壁については、サイディングと呼ばれる外壁材が知られている。サイディングはボード状の外壁材であり、乾式工法によって取り付けられる。このサイディングは、品質を均一に大量生産することが可能な外壁材であり、外壁材としての寿命も他の外壁工法と比較すると長いものである。
【０００４】
しかし、年月の経過と共にサイディング表面の防水性や塗装の劣化が生じるため、数年から十数年毎のメンテナンスが必要となる。この際、サイディングの種類によって劣化具合が異なるので、所有者・管理人にとって、メンテナンスの時期を把握することは困難である。
【０００５】
また、生産業者及び販売会社は、外壁材の流通における仕分け、発送・受領、保管を物品に付された伝票の記載に基づいて管理しているため、伝票が紛失又は破損した場合は、その管理が困難となる。
【０００６】
図６に示す特開２００４−３７９０２号公報は、ＩＣタグ６０及び湿度調整材を装填した包装袋６１を建築用、住宅用部材６２に装着して構成されており、当該部材の流通関係、材料の内容、製造履歴等の情報がＩＣタグ６０に記録格納され、非接触の無線通信機器（以下、リーダ／ライタという）を用いてこれらの情報を確認できる技術が開示されている。
【先行技術文献】
【特許文献】
【０００７】
【特許文献１】特開２００４−３７９０２号公報
【発明の概要】
【発明が解決しようとする課題】
【０００８】
しかし、そのＩＣタグを装着した前記部材は内装用に限定されている。またＩＣタグを封入した防湿性の合成フィルム包装袋は、当該部材の表面上に装着されるので、当該部材の移動中、保管中又は施工中に当該合成フィルムが外れて紛失したり、外部からの衝撃によってＩＣタグが破損する恐れがある。
【０００９】
この発明は、上記課題に着目し、外壁用として使用しながらも、物品及び流通関係の情報を記録又は表示できる外壁用建材であり、品質管理・流通管理を容易とする外壁用建材を提供することを目的とする。
【課題を解決するための手段】
【００１０】
（１）上記課題を解決するために、本発明の外壁用建材は、壁面に着脱可能に複数個配列する外壁用建材であり、各外壁用建材に関係する情報を記録又は表示する情報伝達媒体が固定されたものである。
【００１１】
（２）さらに、前記情報伝達媒体がＩＣタグ、１次元コード、２次元コードである。
【００１２】
（３）さらに、前記ＩＣタグが前記外壁用建材に埋め込まれたものである。
【００１３】
（４）また、壁面に固定された係止用板に着脱可能に係着する外壁用建材であり、前記ＩＣタグが耐水性を有し、前記外壁用建材に着脱可能に内設されたことを特徴とするものである。
【００１４】
（５）前記ＩＣタグがＧＰＳモジュールを内蔵したことを特徴とするものである。
【００１５】
（６）本発明の外壁用建材は、（１）に記載の外壁用建材とリース管理サーバとを使用したリースシステムであり、建築物所有者端末、建築物管理者端末、外壁用建材をリースするリース会社の所有するリース会社端末、外壁用建材を販売する販売会社の所有する販売会社端末、外壁用タイルを生産する生産業者の所有する生産業者端末にインターネットを介して接続されたリース管理サーバと、前記リース管理サーバからアクセスされるデータベースを有する記憶手段と、前記各外壁用建材に関する情報をデータベースに登録するリース管理サーバ内の登録手段と、前記外壁用建材の情報をインターネット上に公開するリース管理サーバ内の公開手段と、利用者にデータベースに登録されたデータを送信するリース管理サーバ内のリースデータ通知手段と、前記外壁用建材の情報伝達媒体から各外壁用建材に関係する情報を読み取る読取手段とを備えるものである。
【発明の効果】
【００１６】
本発明の外壁用建材は、情報伝達媒体に記録された情報に従って、製品の搬送、発送、輸送、受け渡しを行い得るため、物流管理が容易となる。
【００１７】
また、情報伝達媒体が１次元コード又は２次元コードである場合には、コードリーダを用いて即時に外壁用建材に付与された情報を読み込むことができる。よって、管理システムにおける情報の入力、登録、検索を迅速に行うことができる。
【００１８】
また、情報伝達媒体がＩＣタグである場合には、記録されたデータを必要に応じて変更、追加することができる。また、複数の外壁用建材に対してデータの書き込み、及び読み込み作業を一括して行うことができる。
【００１９】
さらに、生産業者、生産日時、品番、施工業者、施工日時、メンテナンス情報及び外壁用建材個別に付与されたシリアル番号等の外壁用建材に関する情報をＩＣタグに記録し、外壁用建材に固定し得るので、これらの情報を個別に保存し、管理することができる。よって、その外壁用建材の安全性を証明し、保証書のような役割を果たすことができる。
【００２０】
さらに、万が一、製品に瑕疵が発見された場合には、ＩＣタグに記録された外壁用建材に関する情報を、瑕疵の原因究明、補償責任、補修材料・方法の選定に役立てることができる。
【００２１】
また、情報伝達媒体は耐水性を有しており、外壁用建材に内設しているので、湿度及び外部からの衝撃に対する耐久性が向上する。
【００２２】
また、ＧＰＳモジュールを内蔵しているので、配送時における外壁用建材の通過地点、保管時における保管場所、施工後には施工された外壁用建材の位置情報を取得し得るので、外壁用建材に関する情報と位置情報を関連付けて管理することができる。よって、配送時には出荷された外壁用建材の追跡が可能となり、また外壁用建材のメンテナンス、取り換えの際には、カーナビゲーションシステムに位置情報を入力することで施工地点に容易に到達することができる。
【００２３】
また、本発明の外壁用建材を用いたリースシステムは、外壁用建材に付与されたシリアル番号と関連付けられたリース管理情報、外壁用建材管理情報、外壁用建材情報、システム利用者情報がデータベースに登録されているため、建物所有者及びリース会社等はインターネット上で外壁用建材のリース期限の管理を行うことができ、また外壁用建材の販売会社及び生産業者はインターネット上で外壁用建材の品質の管理を行うことができるので、期限管理、品質管理の利便性が向上する。
【図面の簡単な説明】
【００２４】
【図１】実施例１による外壁用タイルの斜視図である。
【図２】実施例２による外壁用タイルの斜視図である。
【図３】外壁用タイルを用いたリースシステムの契約関係を示す図である。
【図４】外壁用タイルを用いたリースシステムの構成を概念的に示した図である。
【図５】外壁用タイルを用いたリースシステムのデータベースを構成するテーブルを示す図である。
【図６】従来におけるＩＣタグ付き建築用・住宅用部材を示した図である。
【発明を実施するための形態】
【００２５】
以下、図面に基づいて、外壁用タイルを例に本願発明の外壁用建材を説明する。
【実施例１】
【００２６】
図１に示す外壁用建材１は情報伝達媒体２を備えた外壁用タイルである。この外壁用タイルは壁面に敷設された下地レールに乾式工法により取り付けられる。タイルの種類は、例えば窯業系、セラミック系、樹脂系、木質系、ＡＬＣ等である。このタイルは横長の矩形の板状体であり、壁面に対向する面に係合溝３を有している。この係合溝３が下地レールに引っかけられて取り付けられる。
【００２７】
情報伝達媒体２はリーダ／ライタと通信するアンテナとメモリを備えるＩＣチップとが樹脂封止されたＩＣタグである。ＩＣタグの形状はカード形状であるが、これに限定されることなく、タグ形状、コイン形状、棒状等であってもよい。また、このＩＣタグは防水性を有することが好ましい。このＩＣタグは外壁用タイルの係合溝３に形成された矩形の凹部６に接着剤によって固定されるが、螺子を用いて外壁用タイルに固定してもよい。このＩＣタグはパッシブタイプであり、自ら電源を有さず、リーダ／ライタから発信した電磁波や電波を受けることで起電する。
【００２８】
ＩＣタグのメモリはタイル毎に付与されたシリアル番号を格納するシリアル番号データ番地、タイルの生産業者を記録する生産業者データ番地、タイルを生産した日時を記録する生産日時データ番地、タイルの品番を記録する品番データ番地、タイルの施工業者を記録する施工業者データ番地、タイルを壁面に取付けた日時を記録する施工日データ番地、メンテナンスの情報を記録するメンテナンスデータ番地を有している。また、ＩＣタグに記録される情報は、これらに限定されることなく、タイルに関する情報を必要に応じて追加することが可能である。
【００２９】
ＩＣタグへの情報の書き込み及び読み込みは、リーダ／ライタを用いて行われる。リーダ／ライタは，電波を通してＩＣタグと通信するためのアンテナ、コンピュータ等の上位のシステムと接続するためのポート（シリアル、USB、無線LANなど）、及び通信処理を行う制御部などから構成されるものである。
【００３０】
シリアル番号、生産業者データ、生産日時データ、品番データ、施工業者データは生産工程においてＩＣタグへ記録され、施工日データは施工終了時に記録される。
【００３１】
この実施例１によれば、生産業者及び施工業者はＩＣタグに記録された情報に従って、製品の搬送、発送、輸送、受け渡しを行い得るため、物流管理が容易となる。
【００３２】
また、生産業者、生産日時、品番、施工業者、施工日時、メンテナンス情報及びタイル個別に付与されたシリアル番号等のタイルに関する情報をタイル毎に記録し得るので、そのタイルのトレーサビリティ及び品質管理性が向上する。よって、そのタイルの安全性を証明したり、保証書のような役割を果たすことができる。
【００３３】
また、万が一製品に瑕疵が発見された場合には、ＩＣタグに記録されたタイルに関する情報が原因究明、補償責任、補修材料・方法の選定に役立つ。
【００３４】
本実施例に用いられる情報伝達媒体２はＩＣタグに限られず、一次元コード、又は二次元コードによるシンボルが印刷されたシール状のシートであってもよく、またこのシートをカード形状のＩＣタグに貼り付けてもよい。これらのシンボルは外壁用タイル毎に付与されたシリアル番号を表すものである。このシリアル番号は生産業者データ、生産日時データ、品番データ、施工業者データ及び施工日データと関連づけて管理システムによって管理される。よって、この管理システムに接続されたコードリーダを用いて、これらのシンボルを読み取ることにより、迅速かつ容易にタイルに関する情報を閲覧、登録、変更を行うことができる。
【００３５】
また、本実施例に用いられるＩＣタグは樹脂封止されたものに限られず、ＩＣチップとアンテナをまとめたインレットを封入した積層紙からなるシール状体であってもよく、このシール状体に前記一次元コード、又は二次元コードが印刷されてもよい。また、防水性の包装体にアンテナとＩＣチップとが内設されたＩＣタグであってもよい。
【実施例２】
【００３６】
また、図２に示すように、カード形状のＩＣタグを内設した外壁用タイルであってもよい。外壁用タイルはその側面中央部に挿入孔４を有しており、ＩＣタグは挿入孔４に挿入される。このＩＣタグはカード形状に限られず、棒状、コイン形状であってもよい。また、シート状のＩＣタグが耐水性の包装体に封入されたものであってもよい。
【００３７】
外壁に挿入されたＩＣタグは、例えば接着剤によって固定してもよく、コーキング材によって、挿入孔４を埋めてもよい。
【００３８】
この実施例２の外壁用タイルは、ＩＣタグが耐水性を有し、外壁用タイルに内設されているので、ＩＣタグの湿度及び外部からの衝撃に対する耐久性を向上させることができる。
【実施例３】
【００３９】
図３〜図５に基づいて、外壁用タイルを使用したリースシステム３０を例に外壁用建材１のリースシステムを説明する。
【００４０】
図３はこのリースシステム利用者の契約関係を示した図である。外壁用タイルを生産する生産業者２５は外壁用タイルを販売する販売会社２４と外壁用タイルの売買契約を締結している。販売会社２４は外壁用タイルを購入し、貸し出しを行うリース会社２３と売買契約を締結している。リース会社２３はアパートの管理業務を専門に請け負うアパート管理会社２２とリース契約を締結している。アパート管理会社２２はアパートを経営しているアパート経営者２１とリース契約（転リース）を締結している。また、販売会社２４はアパート管理会社２２とリース契約を締結してもよい。このリースシステム３０において締結されたリース契約はオペレーティングリースであり、リース期間は一年未満を除いて自由に設定可能である。
【００４１】
図４は本願発明を用いたリースシステム３０を示した図である。リースシステム３０は、インターネットを介して相互に接続された、生産業者端末３５、販売会社端末３４、リース会社端末３３、アパート管理会社端末３２、アパート経営者２１端末及びリース管理サーバ３６とリース管理サーバ３６に接続されたデータベースを有する記憶手段３７から構成されている。
【００４２】
生産業者端末３５は生産業者２５が有するコンピュータである。販売会社端末３４はタイル販売会社２４に設置されたコンピュータである。リース会社端末３３はリース会社２３に設置されたコンピュータである。アパート管理会社端末３２は、アパート管理会社２２に設置されたコンピュータである。アパート経営者端末３１はアパート経営者２１が有するコンピュータである。
【００４３】
生産業者２５、販売会社２４、リース会社２３、アパート管理会社２２、及びアパート経営者２１に設置されたコンピュータは、インターネットを介してリース管理サーバ３６と通信可能とする通信部と、キーボード、マウス、及びリーダ／ライタからの入力を可能とする入力部と、通信によって得たデータ及び入力部からのデータを処理する処理部と、メインメモリ及びハードディスクからなる記憶部と、処理の結果を表示する表示部から構成されており、ホームページ表示手段、及びＥメール受信手段を有している。
【００４４】
リース管理サーバ３６はインターネットを介して他の端末と通信可能とする通信部と、キーボード及びマウスからの入力を可能とする入力部と、通信によって得たデータ及び入力部からのデータを処理する処理部と、メインメモリ及びハードディスクからなる記憶部と、処理の結果を表示する表示部から構成される。
【００４５】
また、リース管理サーバ３６はタイルの商品情報をインターネット上に公開するタイル公開手段と、リース案件情報、シリアル番号、タイル管理情報、タイル情報、及び利用者情報をデータベースに登録するデータベース登録手段と、登録された情報を必要に応じてリースシステム利用者にＥメールを送信するＥメール送信手段を有している。
【００４６】
データベースを有する記憶手段３７はハードディスクより構成されている。データベースは図５に示すように、リース管理テーブル４６、シリアル番号テーブル４７、タイル管理テーブル４８、タイル情報テーブル４９、アパート経営者テーブル４１、アパート管理会社テーブル４２、リース会社テーブル４３、販売会社テーブル４４及び生産業者テーブル４５から構成されている。
【００４７】
リース管理テーブル４６は、リース案件毎に登録されるリース案件情報を管理するテーブルであり、リースの案件毎に決定される案件ＩＤ、案件毎に付与されたシリアル番号ＩＤ、リースの案件に必要なタイルの枚数、リース期間、アパート経営者ＩＤ、アパート管理会社ＩＤ、リース会社ＩＤ、販売会社ＩＤ、及び生産業者ＩＤから構成される。このテーブルはリース案件の発生と共にデータベースに生成される。案件ＩＤ、シリアル番号ＩＤ、アパート経営者ＩＤはこのテーブルの生成と同時に登録され、タイルの枚数、リース期間及びアパート管理会社ＩＤはアパート経営者２１とアパート管理会社２２のリース契約の締結と共に登録され、販売会社ＩＤは販売会社２４とアパート管理会社２２のリース契約の締結と共に登録され、生産業者ＩＤは販売会社２４と生産業者２５の売買契約の締結と共に登録される。
【００４８】
シリアル番号テーブル４７は、シリアル番号ＩＤを管理するテーブルであり、シリアル番号ＩＤに関連付けられたシリアル番号から構成されている。このテーブルはリース案件の発生と共にデータベースに生成される。
【００４９】
タイル管理テーブル４８は、タイル管理情報を管理するテーブルであり、シリアル番号に関連付けられたタイルＩＤ、生産日時、施工日時、メンテナンス履歴、リース期日から構成されている。このテーブルはリースの案件の発生と共にデータベースに生成され、タイルの生産工程では製造日時が登録され、タイル施工後に施工日時及びリース期日が登録され、メンテナンス後にはメンテナンス履歴が登録される。
【００５０】
タイル情報テーブル４９は、タイル情報を管理するテーブルであり、タイルＩＤに関連付けられたタイルの製品型番、販売会社ＩＤ、生産業者ＩＤから構成されている。このテーブルは生産業者２５と販売会社２４との売買契約の締結と共にデータベースに登録される。
【００５１】
アパート経営者テーブル４１、アパート管理会社テーブル４２、リース会社テーブル４３、販売会社テーブル４４、及び生産業者テーブル４５は、それぞれの利用者情報を記録するテーブルであり、各利用者のＩＤに関連付けられた、パスワード、名称、住所、電話番号、メールアドレスから構成される。これの情報はリースシステム使用の契約時にデータベースに登録される。
【００５２】
このリースシステム３０に用いられる外壁用タイルは、ＩＣタグを備えている。タイル生産工程において、リーダ／ライタを用いてリース案件情報、シリアル番号、タイル管理情報、タイル情報がＩＣタグに書き込まれる。施工後には、施工日時データが書き込まれる。メンテナンス後には、メンテナンス履歴が書き込まれる。
【００５３】
データベースに記録されたタイルに関する情報を閲覧又は更新するためには、リース管理サーバ３６内の所定のアドレスへアクセスし、端末が表示する入力画面にタイルに記録された情報を入力することによって、リース管理サーバ３６はデータベース内の情報と比較し、関連する情報を端末に表示させる。例えば、あるシリアル番号を入力した場合には、そのシリアル番号について関連付けて登録されたタイルの型番、生産日時、施工日時、メンテナンス履歴、リース期日、生産業者名、販売会社名、リース会社名、アパート管理会社名、アパート経営者名が表示される。データベースに登録されたデータを更新する必要があれば、表示された内容を修正することによって更新され、更新された内容はリース管理サーバの有するＥメール送信手段によって、各システム利用者端末に送信される。
【００５４】
この実施例における外壁用タイルを用いたリースシステム３０は、データベースにＩＣタグが有する情報と同一の情報が登録されているため、インターネット上でもタイルに関する情報を管理し得る。よってアパート経営者２１、アパート管理会社２２及びリース会社２３はリースの期限管理が容易となり、また生産業者２５・販売会社２４の情報、メンテナンス履歴の情報を確認し得るため、安心して建物の維持、管理をすることができる。
【００５５】
この実施例において、ＩＣタグのメモリ及びタイル管理テーブルに、個々のタイルの配置関係を示す配置データを記録してもよい。配置関係を示したデータとは、建物に取り付けられた外壁用タイルの建物に対する方角、及び取り付けられた壁面における行番号、列番号等の配列情報である。この配置データをメモリ及びタイル管理テーブルに記録することによって、建物に取り付けられた個々の外壁用タイルを管理することがでる。よって、建物に取り付けられた外壁用タイルを部分的に交換する場合のタイルの指定、管理が容易となる。
【００５６】
この実施例において、リースシステム３０は外壁用タイルを使用したアパートに限定されることなく、賃貸マンション、分譲マンション、ハイツ、メゾン、住宅、オフィスビル、店舗、工場、倉庫、駅、ホテル等の建築物であってもよい。
【実施例４】
【００５７】
このリースシステム３０に使用される外壁用タイルの備えるＩＣタグがアクティブタイプであり、ＧＰＳ（全地球測位システム）モジュールを内蔵したものであり、またデータベースの有するタイル管理テーブル４８の構成に位置情報を追加したものであってもよい。
【００５８】
ＧＰＳモジュールを内蔵したＩＣタグは、ＧＰＳモジュールが経度情報、緯度情報の位置情報を取得し、ＩＣタグが位置情報とメモリ内の情報をリーダ／ライタに送信するものである。このＩＣタグの形状は例えば、箱形状、円筒形状等であり、防水性を有するものが好ましい。アクティブタイプのＩＣタグは電源を必要とするＩＣタグであり、パッシブタイプのＩＣタグと比較すると、広域の通信範囲を有する。アクティブタグは一定間隔でタグ自身が電波を発信するものであるが、電池の消費を節約するためにリーダ／ライタからの呼びかけがあったときのみ電波を発信するセミアクティブタイプであってもよい。
【００５９】
この実施例における外壁用タイルは、ＧＰＳモジュールによって位置情報を取得し得るので、配送時、保管時、メンテナンス時は外壁用タイルの位置情報をリースシステム３０にて管理可能となり、施工時にはＩＣタグに施工日時を記録するとともに、施工されたタイルの位置情報をＩＣタグより取得し、この位置情報をタイルのシリアル番号と関連付けてデータベースのタイル管理テーブル４８に登録し、管理し得るため、タイルのメンテナンス、取り換えの際には、カーナビゲーションシステムに位置情報を入力することで施工地点に容易に到達することができる。
【００６０】
この実施例において、ＧＰＳモジュールを備えたリーダ／ライタを用いて、外壁用タイルの位置情報を取得し、タイル管理テーブル４８に登録し、管理するものであってもよい。
【００６１】
以上、本発明の外壁用建材１及び外壁用建材１を用いたリースシステム３０の態様について説明したが、本発明はその趣旨を逸脱しない範囲で、当業者の知識に基き種々の改良、修正、変形を加えた態様で実施し得るものであり、これらの態様はいずれも本発明の範囲に属するものである。
【００６２】
例えば、外壁用建材１は上記実施例に示した外壁用タイルに限られることなく、大型の外壁用タイル、外壁用パネル、サッシ、窓、シャッター、ルーバー、網戸等であってもよい。
【符号の説明】
【００６３】
１...外壁用建材、２...情報伝達媒体、３...係止溝、４...挿入孔、５...包装体、６...凹部、２１...アパート経営者、２２...アパート管理会社、２３...リース会社、２４...販売会社、２５...生産業者、３１...アパート経営者端末、３２...アパート管理会社端末、３３...リース会社端末、３４...販売会社端末、３５...生産業者端末、３６...リース管理サーバ、３７...データベースを有する記憶手段、４１...アパート経営者テーブル、４２...アパート管理会社テーブル、４３...リース会社テーブル、４４...販売会社テーブル、４５...生産業者テーブル、４６...リース管理テーブル、４７...シリアル番号テーブル、４８...タイル管理テーブル、４９...タイル情報テーブル
【図１】
2011219997.tif 000003
【図２】
2011219997.tif 000004
【図３】
2011219997.tif 000005
【図４】
2011219997.tif 000006
【図５】
2011219997.tif 000007
【図６】
2011219997.tif 000008